(57)【要約】【課題】  室外側からの火災に対して、上げ下げ窓のドラム式バランサーが火炎に晒されることを防止して、室内への延焼を抑制する。【解決手段】  建物開口部に配置される枠体と、枠体内に配置される障子と、上下方向に開閉する障子の上方への移動を補助するドラム式バランサーとを備え、ドラム式バランサーは、ドラム式バランサーを構成する部品を金属製のプレート部材に取り付けて形成されているとともに、金属製のプレート部材が内周側に配置されるように縦枠に固定され、ドラム式バランサーに対向する障子の縦框の外周面には、外周方向に向かって膨張する加熱膨張材が配置されている。【選択図】図５
2018035522.tif 000002
【特許請求の範囲】
【請求項１】
建物開口部に配置される枠体と、枠体内に配置される障子と、上下方向に開閉する障子の上方への移動を補助するドラム式バランサーとを備え、
ドラム式バランサーは、ドラム式バランサーを構成する部品を金属製のプレート部材に取り付けて形成されているとともに、金属製のプレート部材が内周側に配置されるように縦枠に固定され、
ドラム式バランサーに対向する障子の縦框の外周面には、外周方向に向かって膨張する加熱膨張材が配置されている
ことを特徴とする建具。
【請求項２】
建物開口部に配置される枠体と、枠体内に配置される障子と、上下方向に開閉する障子の上方への移動を補助するドラム式バランサーとを備え、
ドラム式バランサーは、ドラム式バランサーを構成する部品を金属製のプレート部材に取り付けて形成されているとともに、金属製のプレート部材が内周側に配置されるように縦枠に固定され、
ドラム式バランサーが固定される縦枠の室外側壁の室内側面には、ドラム式バランサーに向かって膨張する加熱膨張材が配置されている
ことを特徴とする建具。
【発明の詳細な説明】
【技術分野】
【０００１】
本発明は、建物開口部に配置される防火サッシに関する。
【背景技術】
【０００２】
建物開口部に配置される上げ下げ式の建具として、枠体に障子の開放を補助するドラム式のバランサーを備えた建具が公知となっている。
【先行技術文献】
【特許文献】
【０００３】
【特許文献１】特許第４５７０４７７号公報
【発明の概要】
【発明が解決しようとする課題】
【０００４】
前記特許文献１の上げ下げ式の建具は、内障子の開放を補助するドラム式のバランサーが枠体の上方位置に配置されているが、摺動性や耐摩耗性のために、バランサーに樹脂材料や潤滑剤などが用いられることが多く、火災時にはバランサーに着火し、室内への延焼の原因となる可能性があった。
【０００５】
本発明は、上記の事情を鑑み、室外側からの火災に対して、上げ下げ窓に配置されたドラム式バランサーが火炎に晒されることを防止して、室内への延焼を抑制することを目的とする。
【課題を解決するための手段】
【０００６】
本願の請求項１に係る発明は、建物開口部に配置される枠体と、枠体内に配置される障子と、上下方向に開閉する障子の上方への移動を補助するドラム式バランサーとを備え、ドラム式バランサーは、ドラム式バランサーを構成する部品を金属製のプレート部材に取り付けて形成されているとともに、金属製のプレート部材が内周側に配置されるように縦枠に固定され、ドラム式バランサーに対向する障子の縦框の外周面には、外周方向に向かって膨張する加熱膨張材が配置されていることを特徴とする。
本願の請求項２に係る発明は、建物開口部に配置される枠体と、枠体内に配置される障子と、上下方向に開閉する障子の上方への移動を補助するドラム式バランサーとを備え、ドラム式バランサーは、ドラム式バランサーを構成する部品を金属製のプレート部材に取り付けて形成されているとともに、金属製のプレート部材が内周側に配置されるように縦枠に固定され、ドラム式バランサーが固定される縦枠の室外側壁の室内側面には、ドラム式バランサーに向かって膨張する加熱膨張材が配置されていることを特徴とする。
【発明の効果】
【０００７】
本発明の構成により、室外側からの火災に対して、上げ下げ窓のドラム式バランサーに対する着火を抑制することができる。
【図面の簡単な説明】
【０００８】
【図１】本発明の実施形態に係る防火サッシを室内側から見た斜視図である。
【図２】本発明の実施形態に係る防火サッシの縦断面図である。
【図３】本発明の実施形態に係る防火サッシの横断面図であり、内障子により開閉される下方位置を左縦枠部分に示し、外障子が固定される上方位置を右縦枠部分に示している。
【図４】本発明の実施形態に係る防火サッシのドラム式バランサーの斜視図である。
【図５】本発明の実施形態に係る防火サッシの右縦框及び外障子の右縦框の横断面図であり、（ａ）はドラム式バランサーが収納される部位の下方部位における横断面図であり、（ｂ）はドラム式バランサーが収納される部位の横断面図である。
【図６】本発明の実施形態に係る防火サッシの右上部分の図であり、（ａ）は一部を切欠いた正面図であり、（ｂ）は右縦枠を内周側から見た図である。
【図７】本発明の実施形態に係る防火サッシの右上部分の斜視図である。
【図８】本発明の実施形態に係る防火サッシの外障子の右縦框の図であり、（ａ）は外周側から見た図であり、（ｂ）は（ａ）のＡ−Ａ断面図であり、（ｃ）は（ａ）のＢ−Ｂ断面図である。
【図９】本発明の実施形態に係る防火サッシの右縦枠の図であり、（ａ）は室内側から見た図であり、（ｂ）は（ａ）のＣ−Ｃ断面図であり、（ｃ）は（ａ）のＤ−Ｄ断面図である。
【発明を実施するための形態】
【０００９】
本発明の実施形態に係る防火サッシを、図面を参照して説明する。
（全体の構成）
本発明の実施形態に係る防火サッシは、図１に示すように、建物開口部に設置される枠体１と、枠体１の室外側に配置される外障子３と、枠体１の室内側を上下方向に上げ下げ開閉自在に配置される内障子２とからなる上げ下げ窓として構成されている。
【００１０】
枠体１は、図２，３に示すように、上枠１１、下枠１２及び左、右縦枠１３，１４を四周に組んでなり、内、外障子２，３は、上框２１，３１、下框２２，３２、左縦框２３，３３（図示はない。）及び右縦框２４，３４を四周に組んでその内周にパネル体が嵌め込まれてなり、外障子３は、枠体１の室外側上方部位に固定されているとともに、内障子２は、枠体１の室内側において上下動自在に配置されている。
本実施形態の防火サッシにおいては、外障子３のさらに室外側であって、枠体１の下方部位を覆うように、網戸４が配置されている。
なお、本発明の防火サッシは、枠体に対して外障子が固定される上げ下げ窓に限るものではなく、内障子が固定されるものでも良いし、内障子と外障子が共に上げ下げ自在に配置されているものなど、どのようなサッシであってもよい。
【００１１】
（枠体の構成）
−上枠−
枠体１を構成する上枠１１は、図２に示すように、アルミニウム等の金属材料により形成された上枠本体１１１及び上枠本体１１１の室内側内周面を覆う室内側樹脂部材１１２を備えている。
上枠本体１１１は、開口部の内周面を構成する上壁部１１１ａと、上壁部１１１ａの室外側端より垂下する室外側壁１１１ｂと、上壁部１１１ａの室外寄りの下面より垂下する垂下壁１１１ｃと、上壁部１１１ａの室内寄りの下面に形成され室内側樹脂部材１１２を係止する２つの係止片１１１ｄ，１１１ｄとを有しており、上壁部１１１ａの見込み方向略中央位置には、ドラム式バランサー６を係止するバランサー固定金具１１３が固定されている。
一方、室内側樹脂部材１１２は、中空部を上下方向に重ねてなる中空本体部１１２ａの室内側下端より室内側に向けて顎部１１２ｂが延設されて形成され、中空本体部１１２ａの上方部位であって室内側と室外側には、上枠本体１１１に形成された係止片１１１ｄ，１１１ｄに係止される係止爪１１２ｃ，１１２ｃが形成されている。
【００１２】
そして、上枠本体１１１の係止片１１１ｄ，１１１ｄに室内側樹脂部材１１２の係止爪１１２ｃ，１１２ｃを係止することにより一体化され、上枠本体１１１の室外側壁１１１ｂと室内側樹脂部材１１２の中空本体部１１２ａの室外側面とによって、外障子３の上端が挿入される上溝部１１ａが形成されている。
上枠本体１１の上壁部１１１ａの室内下面には、加熱膨張材９１１ａが配置されており、火災時に膨張して外障子３の上框３１を構成する金属材料からなる室外側部材３１１との間に充満して塞ぎ、室外側からの火災時に火炎等が室内側に配置された室内側樹脂部材１１２や外障子３の上框３１を構成する樹脂部材に達することを防いでいる。
【００１３】
−下枠−
枠体１を構成する下枠１２は、図２に示すように、アルミニウム等の金属材料からなり、室外側に中空部１２１ａを備え、中空部１２１ａの室内側に上方に開口する下溝部１２ａを備える下枠本体１２１により形成されている。
下枠本体１２１の中空部１２１ａの上方面には、樹脂製のカバー部材１２２が配置されており、中空部１２１ａの室外側面には、網戸４の閉鎖時に網戸４の下端に設けた弾性部材ｃ１に当接する当接片１２１ｂが室外側に水平に延設されている。
【００１４】
下溝部１２ａは、室外側壁部１２１ｃと底壁部１２１ｄと底壁部１２１ｄの室内側より上方に延設される第１室内側壁部１２１ｅと第１室内側壁部１２１ｅの上端に連続して室内側に延びる中間底壁部１２１ｆと中間底壁部１２１ｆの室内側端より上方に延設される第２室内側壁部１２１ｇとにより構成されており、室外側壁部１２１ｃの上部には、内障子２が閉鎖位置に降下した際に、下框２２の下面に当接する弾性部材ｃ２が配置されている。
第２室内側壁部１２１ｇの室外側面に、下枠樹脂部材１２３が取り付けられており、下枠樹脂部材１２３の上端には、顎部１２３ａが室内方向に延設されている。
そして、室外側壁部１２１ｃの室内側面及び第１室内側壁部１２１ｅの室外側面には、火災時に加熱により膨張する加熱膨張材９１２ａ，９１２ｂが配置されており、火災時には、金属材料からなる下枠本体１２１と内障子２の室外側部材２１１との間に向かって膨張して塞ぎ、室外側からの火災時に火炎等が室内側に配置された下枠樹脂部材１２３や内障子２の下框２２を構成する樹脂部材に達することを防いでいる。
【００１５】
−縦枠−
枠体１を構成する左右の縦枠１３，１４は、基本的にその構成を同じくするものであって、図３においては、枠体１の外障子３が固定される上方位置の構成を右縦枠１４に示し、内障子２が開閉する下方位置の構成を左縦枠１３に示している。以下に、左右の縦枠１３，１４の構成について、上方位置の構成については右縦枠１４（図３右側）を参照して、下方位置の構成については左縦枠１３（図３左側）を参照してを説明する。
枠体１を構成する左、右縦枠１３，１４は、図３に示すように、アルミニウム等の金属材料からなり室外側に中空部１３１ａ，１４１ａを有する左、右縦枠本体１３１，１４１と、樹脂材料からなり左、右縦枠本体１３１、１４１の中空部１３１ａ，１４１ａよりも室内側の内周面に取り付けられ複数の中空部１３２ａ，１４２ａを有する左、右縦枠樹脂部材１３２、１４２と、樹脂材料からなり左、右縦枠樹脂部材１３２，１４２の室内側に配置され中空部を有する室内側壁部材１３３，１４３とを備えている。
【００１６】
左、右縦枠本体１３１，１４１の中空部１３１ａ，１４１ａの室外側は内周方向に延設する室外側壁１３１ｂ，１４１ｂにより構成されており、室外側壁１３１ｂ，１４１ｂには、網戸４を案内する右網戸レール１３１ｃ，１４１ｃが突設されている。また、中空部１３１ａ，１４１ａの室内側面には、左、右縦枠樹脂部材１３２，１４２を係止するための係止片１３１ｄ，１４１ｄが形成されている。
左、右縦枠樹脂部材１３２，１４２は、左、右縦枠本体１３１，１４１の中空部１３１ａ，１４１ａに隣接して配置される複数の中空部１３２ａ，１４２ａを有しており、中空部１３２ａ，１４２ａの室外側面には左、右縦枠本体１３１、１４１の係止片１３１ｄ，１３１ｄに係止する係止爪１３２ｃ，１４２ｃが形成されているとともに、中空部１３２ａ，１４２ａの室内側には内周方向に開口する室内側凹部１３２ｂ，１４２ｂを有している。
【００１７】
そして、左、右縦枠１３，１４の下方位置においては、図３の左縦枠１３に見られるように、左縦枠本体１３１の中空部１３１ａと左縦枠樹脂部材１３２の中空部１３２ａの内周側に、アルミニウム等の金属材料からなる左縦枠カバー部材１３４が配置されている。
左縦枠カバー部材１３４は、左縦枠本体１３１の中空部１３１ａの室外側端部付近から左縦枠樹脂部材１３２の室内側凹部１３２ｂの室外側部分に亘って左縦枠本体１３１と左縦枠樹脂部材１３２の内周面を覆うカバー部材本体１３４ａと、カバー部材本体１３４ａの室内側の内周面に突出する中空部１３４ｂを有しており、中空部１３４ｂの室内側面に左、右縦枠１３，１４の下方位置を開閉する内障子２の縦框２３に設けられたモヘア等の気密部材ｓ１が当接して、縦枠の下方位置における枠体と障子との室外側気密ラインを形成している。そして、中空部１３４ｂのさらに室内側には、加熱により膨張する加熱膨張材９１３ｂを中空部１３４ｂの室内側面と内障子２の縦框２３の室外側面間に向けて保持する保持部１３４ｃが延設されている。
【００１８】
また、左縦枠樹脂部材１３２の室内側凹部１３２ｂと室内側壁部材１３３とによって、内障子２の下框２２より側方に突出する案内部材２２ｂを案内する左案内溝１３ａが形成されており、左案内溝１３ａを形成する室内側凹部１３２ｂの室外側面には、加熱膨張材９１３ａが配置されている。
そして、室内側凹部１３２ｂの室外側面に配置された加熱膨張材９１３ａは、室内側凹部１３２ｂに充満して塞ぎ、室外側からの火災時に火炎等が室内側に配置された左縦枠１３の室内側壁部材１３３や内障子２の左縦框２３を構成する樹脂部材に達することを防いでいる。
【００１９】
一方、左、右縦枠１３，１４の上方位置においては、図３の右縦枠１４に見られるように、右縦枠カバー部材１４４は配置されておらず、右縦枠カバー部材１４４の上方位置に外障子３の右縦框３４が配置されることになる。
そして、右縦枠１４の上方位置に固定された外障子３の右縦框３４の外周面が、右縦枠本体１４１の中空部１４１ａと右縦枠樹脂部材１４２の中空部１４２ａの内周側を覆っており、右縦框３４の室外側面に配置された気密材ｓ２が、右縦枠本体１４１の室外側壁１４１ｂの室内側面に当接することで、縦枠の上方位置における枠体と障子との室外側気密ラインを形成している。
右縦枠樹脂部材１４２の室内側凹部１４２ｂの内周方向の開口は、樹脂カバー部材１４５により塞がれており、室内側凹部１４２ｂの室外側面には、加熱膨張材９１４ａが配置されている。
【００２０】
−外障子の上框−
外障子３を構成する上框３１は、図２に示すように、アルミニウム等の金属材料からなり中空部を備える室外側部材３１１と樹脂材料からなり中空部を備える室内側部材３１２とにより複合框として構成されており、室外側部材３１１と室内側部材３１２とにより内周にパネル間口３１ａが形成されている。
室外側部材３１１の室内側上端には、長手方向に沿って当接片３１１ａが上方に向かって延設されていて、外障子３が固定されている状態において上枠１１の垂下壁１１１ｃに当接している。また、室外側部材３１１の室外側面には、上枠１１の室外側壁１１１ｂに向かって気密材が配置されるとともに、気密材の下方位置には、上枠１１の室外側壁１１１ｂに向かって加熱膨張材９３１ａが配置されており、火災時には、上枠１１と外障子３の上框３１の室外側を塞いで、火炎等が室内側に侵入することを防いでいる。
【００２１】
−外障子の下框−
外障子３を構成する下框３２は、上げ下げ窓における外障子３の召合框であって、図２に示すように、アルミニウム等の金属材料からなり中空部３２１ａを備える下框本体３２１と、樹脂材料からなり下框本体３２１の室内側面に取り付けられてパネル間口３２ａを形成する室内側壁部材３２２とにより構成されており、下框本体３２１の室内側壁面にはネジ等の固定手段によりクレセント受け８２が固定されている。
下框本体３２１の室内側下端には、室内側に向けて煙り返しを形成する煙返し片３２１ｂが突設されており、煙返し片３２１ｂには、内障子２の上框２１に当接する気密材を室内側に向けて保持する気密材保持部３２１ｃが形成されている。
そして、外障子３を構成する下框３２の下面が枠体１の左、右縦枠１３，１４に固定された金属材料からなる支持手段の上面に載置されることにより、外障子３が枠体１の室外側上方位置に固定して配置されている。
【００２２】
−外障子の縦框−
外障子３を構成する左右の縦框３３，３４は、ほぼ同じ構成を有しているので、ここでは、右縦框３４を用いて外障子３の縦框について説明する。
外障子３を構成する右縦框３４は、図３に示すように、アルミニウム等の金属材料からなり中空部３４１ａを有する室外側部材３４１と、樹脂材料からなり中空部３４２ａを有する室内側部材３４２とにより複合框として構成されており、内周側には、室外側部材３４１と室内側部材３４２とによってパネル間口３４ａが形成されている。
室外側部材３４１の室外側面には、右縦枠１４の室外側壁１４１ｂに当接する気密材ｓ２が配置されている。
【００２３】
−内障子の上框−
内障子２を構成する上框２１は、上げ下げ窓における内障子２の召合框であって、図２に示すように、アルミニウム等の金属材料からなり中空部を備える室外側部材２１１と樹脂材料からなり中空部を備える室内側部材２１２とにより複合框として構成されており、室外側部材２１１と室内側部材２１２とにより内周にパネル間口２１ａが形成されている。
室外側部材２１１の室外側面には、外障子３の下框３２とともの煙返しを形成する煙返し片２１１ａが形成されており、煙返し片２１１ａの上方位置には、外障子３の下框３２の室内側面に向かって加熱膨張材９２１ａが配置されている。
室内側部材２１２は、室外側部材２１１の中空部の上面から室内側にかけて覆うように取り付けられており、室外側部材２１１の中空部の室内側に複数の中空部が並ぶように配置され、室内側部材２１２の上面には、クレセント錠８１が取り付けられている。
そして、内障子２の上框２１に配置した加熱膨張材９２１ａは、火災時に外障子３の下框３２に向かって膨張して、内、外障子２，３の召合部を塞ぎ、内障子２の上框２１を構成する樹脂材料からなる室内側部材２１２に火炎が達するのを防いでいる。
【００２４】
−内障子の下框−
内障子２を構成する下框２２は、図２に示すように、アルミニウム等の金属材料からなり中空部２２１ａを有する室外側部材２２１と、樹脂材料からなり中空部２２２ａを有する室内側部材２２２とにより複合框として構成されており、室外側部材２２１と室内側部材２２２とにより内周にパネル間口２２ａが形成されている。
下框２２の室外側部材２２１の下方部位には、案内部材２２ｂが左方向に突出しており、左縦枠１３の左案内溝１３ａに沿って上下方向に案内されている。
【００２５】
−内障子の縦框−
内障子２を構成する左右の縦框２３，２４は、ほぼ同じ構成を有しているので、ここでは、左縦框２３を用いて外障子２の縦框について説明する。
外障子２を構成する左縦框２３は、図３に示すように、アルミニウム等の金属材料からなり中空部２３１ａを有する室外側部材２３１と、樹脂材料からなり中空部２３２ａを有する室内側部材２３２とにより複合框として構成されており、内周側には、室外側部材２３１と室内側部材２３２とによってパネル間口２３ａが形成されている。
室外側部材２３１の室外側面は、左縦枠カバー部材１３４の中空部１３４ｂの室内側面に近接しており、室外側部材２３１の室外側面に配置したモヘア等の気密部材ｓ１を左縦枠カバー部材１３４の中空部１３４ｂの室内側面に当接させることで、縦枠１３と内障子２の縦框２３との間の気密ラインを形成している。
火災時には、左縦枠カバー部材１３４の保持部１３４ｃに保持された加熱膨張材９１３ｂが、金属材料からなる左縦枠カバー部材１３４の中空部１３４ｂと内障子２の縦框２３の金属材料からなる室外側部材２３１の間のモヘア等の気密部材ｓ１に向けて膨張することとなり、室内外の連通を防止して、室外側からの火炎等が室内側に配置された左縦枠１３の室内側壁部材１３３や内障子２の左縦框２３を構成する樹脂部材に達することを防いでいる。
【００２６】
（ドラム式バランサー）
本実施形態の上げ下げ窓においては、枠体１を構成する左、右縦枠１３，１４の上方位置に、内障子２の開閉を補助するためのドラム式バランサー６，６が配置されている。
なお、以下の説明においては、右縦枠内に配置されたドラム式バランサーを用いて説明する。
ドラム式バランサー６は、図４に示すように、全体として矩形状をなしており、ドラム６１１に巻き取られたワイヤー６１２の先端を内障子２に固定して、ワイヤー６１２を巻き取る付勢力をもって内障子２の開放の補助をする装置であって、従来より周知の装置である。
本実施形態のドラム式バランサー６は、金属材料からなるプレート部材６２にバランサーを構成する部材が支持されて形成されており、プレート部材６２に支持された各部材が樹脂材料からなる函状のケース部材６１により覆われて形成されている。プレート部材６２の上端部分にはドラム式バランサー６を上枠１１に固定するための係止部６２ａを備えており、ケース部材６１の下方位置にはドラム式バランサー６を縦枠１４にネジ止め固定するための固定孔６１ａが形成されている。
ドラム式バランサー６を構成する部材は、ワイヤーを巻き取るドラム６１１等大部分が樹脂材料により形成されており、ドラム式バランサー６の軽量化がはかられている。
【００２７】
ドラム式バランサー６が配置される右縦枠１４は、図５（ａ）に見られるように、金属材料からなる右縦枠本体１４１と樹脂材料からなる右縦枠樹脂部材１４２とにより構成されているが、ドラム式バランサー６が収容される上方部位においては、右縦枠１４を構成する右縦枠本体１４１は、右縦枠本体１４１の外周壁部分及び室外側壁１４１ｂを残して切欠かれ、右縦枠樹脂部材１４２は切断されており、ドラム式バランサー６を収納するための切欠き部分１４ａが形成されている。
そして、図６（ａ）に示すように、枠体１を構成する上枠１１の切欠き部分１４ａの上方位置には、フック部１１３ａを有するバランサー固定金具１１３が取り付けられており、切欠き部分１４ａに向かってドラム式バランサー６を内周側下方より接近させて、ドラム式バランサー６のプレート部材６２の上端に形成された係止部６２ａをフック部１１３ａに係止するとともに、ケース部材６１に形成された固定孔６１ａを介してネジ等の固定手段により縦枠１４に固定することで、図５（ｂ），図６（ｂ）に示すように、ドラム式バランサー６を切欠き部分１４ａ内に配置することができる。
【００２８】
そして、縦枠１４の切欠き部分１４ａ内に配置されたドラム式バランサー６のワイヤー６１２を内障子２に連結すると共に、ドラム式バランサー６の付勢強度を調整した後に、図７に示すように、右縦枠１４の内周側からバランサーカバー１４６が取り付けられる。
本実施形態の上げ下げ窓においては、枠体１の室外側の上方部位に外障子３が固定して配置されることから、ドラム式バランサー６の見込み方向室外側の内周面は外障子３の縦框３４によって覆われており、バランサーカバー１４６は、右縦枠１４の見付け方向室内側の内周面に装着される。
バランサーカバー１４６の装着は、縦枠１４に形成された切欠き部分１４ａの下端にバランサーカバー１４６の下端の係止片１４４ａを差し込んで（矢印Ｘ）、上方部分を縦枠１４に向けて回動（矢印Ｙ）させることによって行うことができる。
右縦枠１４の切欠き部分１４ａ内に配置されたドラム式バランサー６は、図５（ｂ）に示すように、右縦枠１４の上方部位において、見込み方向略全域に亘って位置し、内障子２の開放時の補助を行う。
【００２９】
ここで、図５（ａ），図８（ａ），（ｃ）に示すように、ドラム式バランサー６が配置される右縦枠１４の内周面に対向する外障子３の右縦框３４の室外側部材３４１の外周面には、火災時に加熱により膨張する加熱膨張材９３４ａが配置されており、膨張した加熱膨張材９３４ａは、右縦枠１４の右縦枠本体１４１の内周面に到達して枠体１の金属部材と外障子３の金属部材との間を塞ぐことにより、火災時の室内外の連通を防止することができる。
しかしながら、ドラム式バランサー６が配置された右縦枠１４の切欠き部分１４ａに対向する上方部位においては、金属部材である右縦枠本体１４１の中空部１４１ａが切欠かれており膨張した加熱膨張材９３４ａが右縦枠本体１４１の内周面との間に充満することができず、切欠き部分１４ａ内に拡散されて効率よく枠体１と外障子３との隙間を塞ぐことができない。
加えて、ドラム式バランサー６は多くの樹脂部品から構成されていることから、外障子３と枠体１との隙間から侵入する火炎に晒されて溶け落ちて膨張した加熱膨張材９３４ａを保持できなくなり、また、着火して室内に延焼する可能性があった。
【００３０】
そこで、本実施形態の上げ下げ窓においては、図５（ｂ）に示すように、ドラム式バランサー６を右縦枠１４の切欠き部分１４ａ内に収納した際に、ドラム式バランサー６の金属製のプレート部材６２が構成部品の内周側を覆うように右縦枠１４の内周側に位置するように配置されており、ドラム式バランサー６が配置される上方部位においては、図８（ａ），（ｂ）にしめすように、外障子３の右縦框３４の室外側部材３４１と室内側部材３４２の外周面に亘ってドラム式バランサー６に向けて膨張する加熱膨張材９３４ｂが配置されている。
以上のように、ドラム式バランサー６の金属製のプレート部材６２を内周側に配置することにより、火災時には、縦枠と障子の縦框との間から侵入する火炎に対して、ドラム式バランサー６の樹脂部品が直接火炎に晒されることを防止して、保護することができる。また、火災時の加熱によって加熱膨張材９３４ｂはドラム式バランサー６のプレート部材６２に向かって膨張し、、ドラム式バランサー６のプレート部材６２は、直接上枠１１のバランサー固定金具１１３が取り付けられているので、プレート部材６２に達した加熱膨張材９３４ｂは樹脂部品が熔融して欠落することを防止できる。
そして、膨張した加熱膨張材９３４ｂは、枠体１と障子３との間を塞いで延焼を抑制すると共に、ドラム式バランサー６の樹脂部品を火炎から保護することができる。
【００３１】
一方、図５（ｂ），図９（ａ），（ｂ）に示すように、右縦枠１４には、右縦枠樹脂部材１４２の室内側凹部１４２ｂの室外側面に加熱膨張材９１４ａが配置されているが、右縦枠１４の切欠き部分１４ａにおいては、右縦枠１４の右縦枠本体１４１の室外側壁１４１ｂの室内側面にドラム式バランサー６に向かうように加熱膨張材９１４ｂが配置されている。
右縦枠１４の室外側壁１４１ｂの室内側面に配置される加熱膨張材９１４ｂは、右縦枠１４の切欠き部分１４ａに相当する部位の右縦枠本体１４１の室外側壁１４１ｂの内周面略全面にドラム式バランサー６を装着配置する前に接着剤等によって取り付けることができる。
加熱膨張材９１４ｂを右縦枠本体１４１の室外側壁１４１ｂの室内側面に配置することにより、室外側で発生した火災の炎の熱が室外側壁１４１ｂを介して加熱膨張材９１４ｂに伝わりやすく、火災の早期においてドラム式バランサー６に向かって膨張して、ドラム式バランサー６のプレート部材６２のよりも外周側部分を室外側から加熱膨張材で包みこんで、ドラム式バランサー６の樹脂部品等を火炎から保護することができる。
また、金属材料からなるプレート部材６２により保護される樹脂部品が加熱により溶融した場合にも、樹脂非部品を包み込む加熱膨張材によって、樹脂材料が内周側に漏れだすのを防ぐことができる。
【００３２】
以上のように、本実施形態の上げ下げ建具においては、縦枠内に樹脂部品を多く含むドラム式バランサーが配置されている場合であっても、ドラム式バランサーの部品を固定するプレート部材を金属材料によって形成された金属プレートとし、金属プレートが縦枠内で内周側になるように配置されるとともに、ドラム式バランサーが配置される部位に対向する固定障子の外周面に、縦框の見込み方向の広い範囲に亘って金属プレートに向けて加熱膨張材を配置することにより、ドラム式バランサーの樹脂部材は内周側に配置されたプレート部材によって直接火炎に晒されることが防止され、さらに、火災時に膨張した加熱膨張材は、枠体に固定された金属プレートと障子との間の金属部材間に膨張するので、樹脂部品が溶け落ちることに影響を受けることなく枠体と障子との隙間を塞ぐことができる。
【００３３】
また、枠体のドラム式バランサーが配置される部位の室外側壁の室内側面にはドラム式バランサーに向かって膨張する加熱膨張材を配置しているので、室外側の火災時に早期に加熱される室外側壁の熱によって加熱膨張材が膨張して、火災の早期において、樹脂部品を含むドラム式バランサーを膨張した加熱膨張材によって覆うことができ、樹脂部品の溶融による内周側への漏れ出しや発火による火災の延焼を抑制することができる。
【００３４】
なお、本実施形態においては、枠体の上方位置に外障子が固定され、内障子が開閉自在に配置されている上げ下げ窓を例にして説明しており、障子の閉鎖状態においてドラム式バランサーが配置される枠体の上方位置に対向する外障子の縦框の外周面に加熱膨張材を配置しているが、上げ下げ窓としては、内障子を上方位置で固定したものでもよいし、内、外障子を開閉自在としてもよく、閉鎖状態においてドラム式バランサーが配置される位置に対向する障子の外周部分に加熱膨張材を配置することができれば、加熱膨張材を配置する障子は内外いずれの障子であっても、また、固定された障子と開閉可能な障子のいずれの障子であってもよい。
また、枠体や框体に対する加熱膨張材の取り付けは、接着剤等による貼り付けに限定されるものではなく、ホルダー等を形成して保持することで取り付けることもでき、その取付方法は何ら限定されるものではない。
【符号の説明】
【００３５】
１        ：枠体
１１      ：上枠
１１ａ    ：上溝部
１１１    ：上枠本体
１１１ａ  ：上壁部
１１１ｂ  ：室外側壁
１１１ｃ  ：垂下壁
１１１ｄ  ：係止片
１１２    ：室内側樹脂部材
１１２ａ  ：中空本体部
１１２ｂ  ：顎部
１１２ｃ  ：係止爪
１１３    ：バランサー固定金具
１１３ａ  ：フック部
１２      ：下枠
１２ａ    ：下溝部
１２１    ：下枠本体
１２１ａ  ：中空部
１２１ｂ  ：当接片
１２１ｃ  ：室外側壁部
１２１ｄ  ：底壁部
１２１ｅ  ：第１室内側壁部
１２１ｆ  ：中間底壁部
１２１ｇ  ：第２室内側壁部
１２２    ：カバー部材
１２３    ：下枠樹脂部材
１２３ａ  ：顎部
１３      ：左縦枠
１３ａ    ：左案内溝
１３１    ：右縦枠本体
１３１ａ  ：中空部
１３１ｂ  ：室外側壁
１３１ｃ  ：右網戸レール
１３１ｄ  ：係止片
１３２    ：左縦枠樹脂部材
１３２ａ  ：中空部
１３２ｂ  ：室内側凹部
１３２ｃ  ：係止爪
１３３    ：室内側壁部材
１３４    ：左縦枠カバー部材
１３４ａ  ：カバー部材本体
１３４ｂ  ：中空部
１３４ｃ  ：保持部
１４      ：右縦枠
１４ａ    ：切欠き部分
１４１    ：右縦枠本体
１４１ａ  ：中空部
１４１ｂ  ：室外側壁
１４１ｃ  ：右網戸レール
１４１ｄ  ：係止片
１４２    ：右縦枠樹脂部材
１４２ａ  ：中空部
１４２ｂ  ：室内側凹部
１４２ｃ  ：係止爪
１４３    ：室内側壁部材
１４４    ：右縦枠カバー部材
１４４ａ  ：係止片
１４５    ：樹脂カバー部材
１４６    ：バランサーカバー
２        ：内障子
２１      ：上框
２１ａ    ：パネル間口
２１１    ：室外側部材
２１１ａ  ：煙返し片
２１２    ：室内側部材
２２      ：下框
２２ａ    ：パネル間口
２２ｂ    ：案内部材
２２１    ：室外側部材
２２１ａ  ：中空部
２２２    ：室内側部材
２２２ａ  ：中空部
２３      ：左縦框
２３ａ    ：パネル間口
２３１    ：室外側部材
２３１ａ  ：中空部
２３２    ：室内側部材
２３２ａ  ：中空部
２４      ：右縦框
３        ：外障子
３１      ：上框
３１ａ    ：パネル間口
３１１    ：室外側部材
３１１ａ  ：当接片
３１２    ：室内側部材
３２      ：下框
３２ａ    ：パネル間口
３２１    ：下框本体
３２１ａ  ：中空部
３２１ｂ  ：煙返し片
３２１ｃ  ：気密材保持部
３２２    ：室内側壁部材
３３      ：左縦框
３４      ：右縦框
３４ａ    ：パネル間口
３４１    ：室外側部材
３４１ａ  ：中空部
３４２    ：室内側部材
３４２ａ  ：中空部
４        ：網戸
６        ：ドラム式バランサー
６１      ：ケース部材
６１ａ    ：固定孔
６１１    ：ドラム
６１２    ：ワイヤー
６２      ：プレート部材
６２ａ    ：係止部
８１      ：クレセント錠
８２      ：クレセント受け
９１１ａ  ：加熱膨張材
９１２ａ  ：加熱膨張材
９１２ｂ  ：加熱膨張材
９１３ａ  ：加熱膨張材
９１３ｂ  ：加熱膨張材
９１４ａ  ：加熱膨張材
９１４ｂ  ：加熱膨張材
９２１ａ  ：加熱膨張材
９３１ａ  ：加熱膨張材
９３４ａ  ：加熱膨張材
９３４ｂ  ：加熱膨張材
【図１】
2018035522.tif 000003
【図２】
2018035522.tif 000004
【図３】
2018035522.tif 000005
【図４】
2018035522.tif 000006
【図５】
2018035522.tif 000007
【図６】
2018035522.tif 000008
【図７】
2018035522.tif 000009
【図８】
2018035522.tif 000010
【図９】
2018035522.tif 000011